(57)【要約】【課題】水圧がかかっているときにはクリップを外しにくいものとなっているワンタッチ式の配管接続装置及びこの配管接続装置に用いられるクリップを提供する。【解決手段】配管接続装置は、フランジ１１付きのソケット１２と、フランジ１４付きのプラグ１５と、該フランジ１１，１４同士を連繋するためのクリップ１６Ａとを有している。クリップ１６Ａは、対面したフランジ１１，１４が係合可能な窓孔２２を有している。窓孔２２のコーナー部に突部１６ａが設けられている。プラグ１５に水圧がかかってフランジ１１，１４が離隔しているときに、フランジ１４が突部１６ａに係合し、クリップ１６Ａが実質的に外れないようになる。【選択図】図２
2009058061.tif 000002
【特許請求の範囲】
【請求項１】
先端側にフランジを有した筒状のソケットと、
該ソケットに挿入される挿入筒を先端側に有すると共に、長手方向の途中部分に該ソケットのフランジと対面可能なフランジを有したプラグと、
これらのフランジを窓孔に受入れてフランジ同士を連繋するクリップと
を有する配管接続装置において、
該窓孔のソケット挿入方向の最大幅は該ソケットのフランジ厚さとプラグのフランジ厚さとの和よりも大であり、
該窓孔のコーナー部に、フランジ同士が離間したときにフランジの外周面に対峙する突部が設けられていることを特徴とする配管接続装置。
【請求項２】
請求項１において、前記クリップは、
フランジ外周の一部に沿って配置される第１外周片と、
フランジの中心を挟んで該第１外周片と反対側のフランジ外周の一部に沿って配置される第２外周片と、
該第１外周片と第２外周片とを連結している連結片と、
該第１外周片及び第２外周片にそれぞれ設けられた前記窓孔とを有しており、
該窓孔の前記連結片から遠い側のコーナー部に前記突部が設けられていることを特徴とする配管接続装置。
【請求項３】
ソケットのフランジとプラグのフランジとを連繋するためのクリップであって、
フランジ外周の一部に沿って配置される第１外周片と、
フランジの中心を挟んで該第１外周片と反対側のフランジ外周の一部に沿って配置される第２外周片と、
該第１外周片と第２外周片とを連結している連結片と、
該第１外周片及び第２外周片にそれぞれ設けられたフランジ係合用窓孔と
を有し、該第１外周片と第２外周片とは接離方向に弾性変形可能であるクリップにおいて、
該連結片から遠い側の窓孔のコーナー部に突部が設けられていることを特徴とするクリップ。
【発明の詳細な説明】
【技術分野】
【０００１】
本発明は配管接続装置に係り、詳しくは、例えば給水管や給湯管を逆止弁や止水栓等に接続する場合に好適に用いられる配管接続装置に関する。また、本発明は、この配管接続装置に用いられるクリップに関する。
【背景技術】
【０００２】
給水管や給湯管などの配管を逆止弁や止水栓等に接続するための配管接続装置として、クリップを用いた所謂ワンタッチ式の配管接続装置が特開平８−２７０８４８号公報などに記載され、また、実用化されて広く用いられている。
【０００３】
第４図は特開平８−２７０８４８号公報に記載の配管接続装置を採用した便器設備を示す斜視図、第５図はこの配管接続装置の分解斜視図、第６図はソケットとフランジとの挿入状態の断面図、第７図はソケットとフランジとの分離状態の斜視図である。
【０００４】
洋風便器１の後部上面にロータンクカバー２が設置されている。このロータンクカバー２の前面下部に便座３及び便蓋４が起倒回動可能に取り付けられている。図示はしないが、このロータンクカバー２内にロータンク、温水洗浄装置及び温風乾燥ファン等が設けられている。このロータンクにはボールタップが設置されている。このボールタップからロータンクと温水洗浄装置の温水タンクとに洗浄水が供給される。このボールタップはトイレルーム壁面５に設けられた止水栓６に対し給水管としてのホース７を介して接続されている。
【０００５】
この止水栓６とホース７とは配管接続装置１０によって接続されている。この配管接続装置１０は、フランジ１１を有した筒状のソケット１２と、該ソケット１２に挿入される挿入筒１３及び該ソケット１２のフランジ１１に当接可能なフランジ１４を有したプラグ１５と、これらのフランジ１１，１４同士を連繋するためのクリップ１６とから構成されている。該ソケット１２は止水栓６の送水側の端部に設けられている。また、プラグ１５は、後端側がカシメカラー１７を介してホース７の一端に連結されている。挿入筒１３の外周にＯリング１８が装着されている。
【０００６】
該挿入筒１３をソケット１２に挿入してフランジ１１，１４を当接させ、重なり合ったこれらのフランジ１１，１４にクリップ１６を係着してこれらを連繋することにより、ソケット１２及びプラグ１５を介して止水栓６とホース７とが接続される。
【０００７】
このクリップ１６は、フランジ１１，１４の外周に沿って配置される第１外周片１９と、該フランジ１１，１４の中心を挟んで該第１外周片１９と反対側の第２外周片２０と、該第１外周片１９と第２外周片２０とを連結しているコ字形の連結片２１とを有した略Ω字形状のものである。該第１外周片１９と第２外周片２０とには、それぞれフランジ１１，１４の係合部として、重なり合ったフランジ１１，１４を受け入れる窓孔２２が設けられている。このクリップ１６は金属製であり、第１外周片１９と第２外周片２０とは互いに接近・離反方向に弾性変形可能となっている。
【０００８】
なお、外周片１９，２０は、フランジ１１，１４の外周に沿う円弧状部と、該円弧状部の先端側（連結片２１から遠い方の先端側）から略放射方向に延出した平板状部とを有している。窓孔２２は、円弧状部から平板状部にわたって設けられている。窓孔２２は、連結片２１から遠ざかる方向に延在する長方形の開口よりなる。
【０００９】
かかるホース７と止水栓６及びボールタップの連結は、ワンタッチにてきわめて容易に行なうことができる。また、ホース７と止水栓６及びボールタップとの連結部はＯリング１８によって止水されるため、作業者の熟練度の如何にかかわらず止水性はきわめて良好である。
【特許文献１】特開平８−２７０８４８号公報
【発明の開示】
【発明が解決しようとする課題】
【００１０】
上記配管接続装置にあっては、止水栓６を閉めていない状態でクリップ１６を外してプラグ１５を抜くと、止水栓６から水が大量に流出してしまう。
【００１１】
本発明は、かかる事態を防止するために、水圧がかかっているときにはクリップを外しにくいものとなっている配管接続装置と、そのためのクリップとを提供することを目的とする。
【課題を解決するための手段】
【００１２】
請求項１の配管接続装置は、先端側にフランジを有した筒状のソケットと、該ソケットに挿入される挿入筒を先端側に有すると共に、長手方向の途中部分に該ソケットのフランジと対面可能なフランジを有したプラグと、これらのフランジを窓孔に受入れてフランジ同士を連繋するクリップとを有する配管接続装置において、該窓孔のソケット挿入方向の最大幅は該ソケットのフランジ厚さとプラグのフランジ厚さとの和よりも大であり、該窓孔のコーナー部に、フランジ同士が離間したときにフランジの外周面に対峙する突部が設けられていることを特徴とするものである。
【００１３】
請求項２の配管接続装置は、請求項１において、前記クリップは、フランジ外周の一部に沿って配置される第１外周片と、フランジの中心を挟んで該第１外周片と反対側のフランジ外周の一部に沿って配置される第２外周片と、該第１外周片と第２外周片とを連結している連結片と、該第１外周片及び第２外周片にそれぞれ設けられた前記窓孔とを有しており、該窓孔の前記連結片から遠い側のコーナー部に前記突部が設けられていることを特徴とするものである。
【００１４】
請求項３のクリップは、ソケットのフランジとプラグのフランジとを連繋するためのクリップであって、フランジ外周の一部に沿って配置される第１外周片と、フランジの中心を挟んで該第１外周片と反対側のフランジ外周の一部に沿って配置される第２外周片と、該第１外周片と第２外周片とを連結している連結片と、該第１外周片及び第２外周片にそれぞれ設けられたフランジ係合用窓孔とを有し、該第１外周片と第２外周片とは接離方向に弾性変形可能であるクリップにおいて、該連結片から遠い側の窓孔のコーナー部に突部が設けられていることを特徴とするものである。
【発明の効果】
【００１５】
本発明の配管接続装置では、クリップの窓孔のコーナー部に突部が設けられている。水圧がかかっているときには、ソケットのフランジとプラグのフランジとが離間し、該フランジの外周面が該突部に対峙している。そのため、水圧がかかっているときにはクリップを大きく押し開かない限りクリップは外すことができない。このように、水圧がかかっているときにはクリップが外しにくいので、止水栓を閉め忘れた状態でクリップを外す事態が防止される。
【発明を実施するための最良の形態】
【００１６】
以下、図面を参照して実施の形態について説明する。第１図は実施の形態に係る配管接続装置の分解図（クリップ分離状態図）、第２図（ａ），（ｂ）はこの配管接続装置の側面図、第３図（ａ），（ｂ）は第２図（ａ），（ｂ）のIIIａ−IIIａ線、IIIｂ−IIIｂ線断面図である。
【００１７】
この実施の形態においては、クリップ１６Ａとして、上記窓孔２２のコーナー部に突部１６ａを設けたものを用いている。その他の構成は前記第４図〜第７図の従来例と同一であり、同一符号は同一部分を示している。前記従来例と同じく、連結片２１を介して一体化されている第１外周片１９及び第２外周片２０は、フランジ１１，１４の外周の一部に沿って延在する円弧状部と、該円弧状部の先端側から略放射方向に延出した平板状部とを有している。
【００１８】
窓孔２２は、前記従来例と同じく、円弧状部から平板状部にわたって、連結片２１から遠ざかる方向に延在している。突部１６ａは、この窓孔２２の４個のコーナー部のうち、連結片２１から遠い側の１個のコーナー部に設けられている。この突部１６ａは、方形であり、窓孔２２の開口面積を小さくするようにコーナー部に平板状部と面一に設けられている。突部１６ａの横辺はソケット１２及びプラグ１５の軸心線方向と平行方向である。突部１６ａの縦辺は、この横辺と直交方向すなわち連結片２１から遠ざかる方向に延在している。
【００１９】
突部１６ａの大きさは、窓孔２２内にフランジ１１，１４が嵌合した状態において、第２図（ａ）の如く該フランジ１１，１４同士が最も離隔した場合に一方のフランジ（この実施の形態ではフランジ１４）の外周面が突部１６ａに対峙し、また第２図（ｂ）の如くフランジ１１，１４が当接した状態においてはフランジ１４の外周面が突部１６ａと対峙しないように設定されている。クリップ１６Ａは鋼などの金属製である。
【００２０】
このように構成された配管接続装置においても、前記従来例と同じく、該挿入筒１３をソケット１２に挿入してフランジ１１，１４を当接させ、重なり合った（又は近接した）これらのフランジ１１，１４にクリップ１６Ａを係着することにより、ソケット１２及びプラグ１５を介して止水栓６とホース７とが接続される（第２図参照）。
【００２１】
クリップ１６を外すと、挿入筒１３がソケット１２から抜き出し可能となり、止水栓６とホース７とが分離可能となる。
【００２２】
止水栓６とホース７とを接続した状態において、止水栓６から水圧がプラグ１５（ホース７）側にかかっていると、第２図（ａ）及び第３図（ａ）の通り、プラグ１５が水圧で押されてフランジ１４がフランジ１１から離隔し、該フランジ１４の外周面が突部１６ａと対峙した状態となる。
【００２３】
この状態においてクリップ１６Ａを取り外すには、第１外周片１９と第２外周片２０とを開脚方向に角度θＡ以上押し開く必要があり、クリップ１６Ａを強く押し開かなければならない。すなわち、第１外周片１９及び第２外周片２０の円弧状部と平板状部の曲がり部がソケット１２及びプラグ１５の外周を乗り越えるように外周片１９、２０を開脚方向に幅Ａ以上押し開くのに加えて、突部１６ａの横辺がフランジ１４の外周を乗り越えるように外周片１９，２０を開脚方向に幅Ｂ以上押し開かなければならない。このとき幅Ｂは幅Ａより大きく設定されているため、クリップ１６Ａを強く押し開かなくてはならず、実際にはクリップ１６Ａは殆ど外れないものとなる。なお、第３図（ａ）の角度θＡは、各外周片１９，２０の突部１６ａ，１６ａの距離がフランジ１４の直径と等しくなる角度である。
【００２４】
止水栓６からプラグ１５側に水圧がかかっていないときには、第２図（ｂ）及び第３図（ｂ）のように、プラグ１５をソケット１２側へ押し、フランジ１４を突部１６ａから離脱させる。この状態にあっては、第３図（ｂ）の小角度θＢだけ押し開くだけでクリップ１６Ａを取り外すことができる。窓孔の連結片から遠い側の辺（突部１６ａの縦辺と交わる辺）がフランジ１１、１４の外周を乗り越えるために押し開かなければならない幅Ｂ’は、幅Ａより小さく設定されているため、第１外周片１９及び第２外周片２０の円弧状部と平板状部の曲がり部がソケット１２及びプラグ１５の外周を乗り越えるように外周片１９、２０を開脚方向に幅Ａ以上押し開くだけでよく、クリップ１６Ａの脱着が容易である。なお、第３図（ｂ）の角度θＢは、各外周片１９，２０の窓孔２２の連結片２１から遠い側の辺同士の距離がソケット１２、プラグ１５の外周の直径と等しくなる角度である。
【００２５】
このように、この実施の形態によると、水圧がかかっているときにクリップ１６Ａを外してしまう事態が防止される。
【００２６】
この実施の形態は本発明の一例であり、本発明は図示以外の状態をもとりうる。例えば、クリップ１６Ａの向きを逆にし、突部１６ａがフランジ１１側となるように使用してもよい。
【００２７】
また、本発明では、クリップ１６Ａの外周に合成樹脂製のカバーを設けてもよい。
【図面の簡単な説明】
【００２８】
【図１】実施の形態に係る配管接続装置の分解斜視図である。
【図２】図１の配管接続装置の側面図である。
【図３】図１の配管接続装置の断面図である。
【図４】従来例に係る配管接続装置を採用した洋風便器設備の斜視図である。
【図５】図３の配管接続装置の分解斜視図である。
【図６】図３の配管接続装置の断面図である。
【図７】ソケットとフランジとの装着状況を示す斜視図である。
【符号の説明】
【００２９】
１  洋風便器
２  ロータンク
６  止水栓
７  ホース
１１，１４  フランジ
１２  ソケット
１３  挿入筒
１５  プラグ
１６，１６Ａ  クリップ
１６ａ  突部
１９  第１外周片
２０  第２外周片
２２  窓孔
【図１】
2009058061.tif 000003
【図２】
2009058061.tif 000004
【図３】
2009058061.tif 000005
【図４】
2009058061.tif 000006
【図５】
2009058061.tif 000007
【図６】
2009058061.tif 000008
【図７】
2009058061.tif 000009